(57)【特許請求の範囲】
【請求項１】
非接触電子タグに設けられ、ユーザ端末が、前記非接触電子タグを読み取ると、当該非接触電子タグのタグＩＤを含み、サーバのトラッキングタグを埋め込んだウェブサイトのネットワーク特定情報を前記ユーザ端末に対して提供する情報提供制御部と、
前記サーバに設けられ、前記ユーザ端末が前記ネットワーク特定情報のウェブサイトを表示させると、当該ユーザ端末のブラウザに、ウェブサイト上の閲覧履歴を識別するためのユーザＩＤを割り付けるユーザＩＤ制御部と、
前記サーバに設けられ、前記ユーザＩＤに、当該ネットワーク特定情報に含まれるタグＩＤを関連付けるタグＩＤ制御部と、
前記サーバに設けられ、前記ユーザＩＤを有するユーザ端末のブラウザ又は前記サーバに記憶される閲覧履歴を取得する閲覧履歴制御部と、
前記サーバに設けられ、前記ユーザＩＤのユーザ端末の閲覧履歴の位置日時情報と、ユーザ端末の位置日時情報とを突合することで、突合したユーザ端末固有の広告ＩＤを取得し、当該ユーザＩＤに関連付ける広告ＩＤ制御部と、
前記サーバに設けられ、前記ユーザ端末の閲覧履歴と、当該ユーザ端末のユーザＩＤに関連付けられたタグＩＤのタグ属性とに基づいて、前記ユーザ端末のユーザ属性を分析するユーザ属性制御部と、
前記サーバに設けられ、前記ユーザ端末のユーザＩＤに関連付けられた広告ＩＤに基づいて、前記ユーザ属性に対応する情報を前記ユーザ端末に配信する情報配信制御部と、
を備える情報配信システム。
【請求項２】
非接触電子タグにおいて、ユーザ端末が、前記非接触電子タグを読み取ると、当該非接触電子タグのタグＩＤを含み、サーバのトラッキングタグを埋め込んだウェブサイトのネットワーク特定情報を前記ユーザ端末に対して提供する情報提供制御ステップと、
前記サーバにおいて、前記ユーザ端末が前記ネットワーク特定情報のウェブサイトを表示させると、当該ユーザ端末のブラウザに、ウェブサイト上の閲覧履歴を識別するためのユーザＩＤを割り付けるユーザＩＤ制御ステップと、
前記サーバに設けられ、前記ユーザＩＤに、当該ネットワーク特定情報に含まれるタグＩＤを関連付けるタグＩＤ制御ステップと、
前記サーバに設けられ、前記ユーザＩＤを有するユーザ端末のブラウザ又は前記サーバに記憶される閲覧履歴を取得する閲覧履歴制御ステップと、
前記サーバにおいて、前記ユーザＩＤのユーザ端末の閲覧履歴の位置日時情報と、ユーザ端末の位置日時情報とを突合することで、突合したユーザ端末固有の広告ＩＤを取得し、当該ユーザＩＤに関連付ける広告ＩＤ制御ステップと、
前記サーバにおいて、前記ユーザ端末の閲覧履歴と、当該ユーザ端末のユーザＩＤに関連付けられたタグＩＤのタグ属性とに基づいて、前記ユーザ端末のユーザ属性を分析するユーザ属性制御ステップと、
前記サーバにおいて、前記ユーザ端末のユーザＩＤに関連付けられた広告ＩＤに基づいて、前記ユーザ属性に対応する情報を前記ユーザ端末に配信する情報配信制御ステップと、
を備える情報配信方法。
【請求項３】
非接触電子タグに設けられ、ユーザ端末が、前記非接触電子タグを読み取ると、当該ユーザ端末から、当該ユーザ端末の読取関連部品の固定ＩＤを取得する固定ＩＤ制御部と、
前記非接触電子タグに設けられ、当該非接触電子タグのタグＩＤを含み、サーバのトラッキングタグを埋め込んだウェブサイトのネットワーク特定情報に前記固定ＩＤを追加した追加ネットワーク特定情報を前記ユーザ端末に対して提供する情報提供制御部と、
前記サーバに設けられ、前記ユーザ端末が前記追加ネットワーク特定情報のウェブサイトを表示させると、当該ユーザ端末のブラウザに、前記追加ネットワーク特定情報の固定ＩＤを、ウェブサイト上の閲覧履歴を識別するためのユーザＩＤとして割り付けるユーザＩＤ制御部と、
前記サーバに設けられ、前記ユーザＩＤに、前記追加ネットワーク特定情報に含まれるタグＩＤを関連付けるタグＩＤ制御部と、
前記サーバに設けられ、前記ユーザＩＤを有するユーザ端末のブラウザ又は前記サーバに記憶される閲覧履歴を取得する閲覧履歴制御部と、
前記サーバに設けられ、前記ユーザＩＤのユーザ端末の閲覧履歴の位置日時情報と、ユーザ端末の位置日時情報とを突合することで、突合したユーザ端末固有の広告ＩＤを取得し、当該ユーザＩＤに関連付ける広告ＩＤ制御部と、
前記サーバに設けられ、前記ユーザ端末の閲覧履歴と、当該ユーザ端末のユーザＩＤに関連付けられたタグＩＤのタグ属性とに基づいて、前記ユーザ端末のユーザ属性を分析するユーザ属性制御部と、
前記サーバに設けられ、前記ユーザ端末のユーザＩＤに関連付けられた広告ＩＤに基づいて、前記ユーザ属性に対応する情報を前記ユーザ端末に配信する情報配信制御部と、
を備える情報配信システム。
【請求項４】
非接触電子タグにおいて、ユーザ端末が、前記非接触電子タグを読み取ると、当該ユーザ端末から、当該ユーザ端末の読取関連部品の固定ＩＤを取得する固定ＩＤ制御ステップと、
前記非接触電子タグにおいて、当該非接触電子タグのタグＩＤを含み、サーバのトラッキングタグを埋め込んだウェブサイトのネットワーク特定情報に前記固定ＩＤを追加した追加ネットワーク特定情報を前記ユーザ端末に対して提供する情報提供制御ステップと、
前記サーバにおいて、前記ユーザ端末が前記追加ネットワーク特定情報のウェブサイトを表示させると、当該ユーザ端末のブラウザに、前記追加ネットワーク特定情報の固定ＩＤを、ウェブサイト上の閲覧履歴を識別するためのユーザＩＤとして割り付けるユーザＩＤ制御ステップと、
前記サーバに設けられ、前記ユーザＩＤに、前記追加ネットワーク特定情報に含まれるタグＩＤを関連付けるタグＩＤ制御ステップと、
前記サーバに設けられ、前記ユーザＩＤを有するユーザ端末のブラウザ又は前記サーバに記憶される閲覧履歴を取得する閲覧履歴制御ステップと、
前記サーバにおいて、前記ユーザＩＤのユーザ端末の閲覧履歴の位置日時情報と、ユーザ端末の位置日時情報とを突合することで、突合したユーザ端末固有の広告ＩＤを取得し、当該ユーザＩＤに関連付ける広告ＩＤ制御ステップと、
前記サーバにおいて、前記ユーザ端末の閲覧履歴と、当該ユーザ端末のユーザＩＤに関連付けられたタグＩＤのタグ属性とに基づいて、前記ユーザ端末のユーザ属性を分析するユーザ属性制御ステップと、
前記サーバにおいて、前記ユーザ端末のユーザＩＤに関連付けられた広告ＩＤに基づいて、前記ユーザ属性に対応する情報を前記ユーザ端末に配信する情報配信制御ステップと、
を備える情報配信方法。
【発明の詳細な説明】
【技術分野】
【０００１】
本発明は、情報配信システム及び情報配信方法に関する。
【背景技術】
【０００２】
近年、商品棚、商品の値札、商品本体等の商品に非接触電子タグを付けて、商品の販売促進を行うマーケティングが盛んに行われている。非接触電子タグは、例えば、ＩＣタグやＲＦＩＤ（Ｒａｄｉｏ  Ｆｒｅｑｕｅｎｃｙ  Ｉｄｅｎｔｉｆｉｃａｔｉｏｎ）タグを含む。このマーケティングでは、商品に興味を持ったユーザが自身のユーザ端末で非接触電子タグを読み取ることで、非接触電子タグに記憶された情報に基づいて、ユーザ端末に商品の情報を提供する。これにより、ユーザは、商品の情報を詳細に確認して、商品を購入するかどうかを検討することが出来る。又、商品の情報をクーポン情報にすることで、ユーザに商品の購入を促すことが出来る。
【０００３】
このようなＲＦＩＤタグを用いたマーケティングの技術は、多数存在する。例えば、特開２０１０−１７０５２０号公報（特許文献１）には、個体識別番号ＤＢと、Ｗｅｂサーバ機能と、サービス提供部とを備える情報提供装置が開示されている。個体識別番号ＤＢは、店舗の備品に装着されたＲＦＩＤを識別する個体識別番号と、店舗のサービスとしてのアクションであって、個体識別番号に対応付けられたアクションとを記憶する。Ｗｅｂサーバ機能は、ＲＦＩＤを読み取った携帯電話機から送信されてくる個体識別番号を受信する。サービス提供部は、個体識別番号を受信した場合、個体識別番号に対応付けて記憶されているアクションであって、店舗のサービスを携帯電話機に提供するアクションを実行する。これにより、不特定多数の顧客（ユーザ）が訪れる店舗やサービス提供場所等において、サービス提供業者の望むサービスをその時々に応じて顧客に提供することが出来るとしている。
【０００４】
又、特開２０１３−１６１０９７号公報（特許文献２）には、ユーザ携帯端末と、情報管理サーバとを備えるパネル情報管理システムが開示されている。ユーザ携帯端末は、所定の商品の画像を表示したポスターが貼付されて固定位置に設置されたＩＣタグにかざされることで、ＩＣタグの位置情報を取得してＩＣタグに保持されたアドレス情報で示される情報管理サーバに送信する。情報管理サーバは、ユーザ携帯端末から送信されたＩＣタグの位置情報に対応する表示画像情報を特定してユーザ携帯端末に表示させるために送信する。これにより、パネルの表示内容の変更に簡易に対応可能な非接触通信を利用したパネル情報管理システムを提供することが出来るとしている。
【０００５】
又、特開２０１４−８５７５７号公報（特許文献３）には、ＩＣタグと、携帯端末と、サーバとを備える関連情報提供システムが開示されている。ＩＣタグは、特定商品に付される。携帯端末は、ＩＣタグに記録された特定商品の関連情報を、読取手段Ｒ／Ｗで読み取って再生し表示する表示手段と、通信回線に接続する送受信手段を備える。サーバは、携帯端末と通信回線を介して接続され、且つ特定商品の関連情報が記録される。携帯端末が、読み取った関連情報によりサーバと接続された際、サーバは、記録されている特定商品の関連情報を更新し、且つ、特定商品の関連情報を携帯端末に表示させる。これにより、特定商品に添付されるＩＣタグから携帯端末で関連情報を読み取ることで、携帯端末が自動的にサーバにアクセスし、記録されている関連情報を得られるとしている。
【０００６】
又、特開２０１５−１８７８３９号公報（特許文献４）には、提供対象の情報を表す表示情報を表示するディスプレイ装置と、単一のディスプレイ装置に対応付けて設置されるタグと、提供対象の情報のＵＲＬを管理するサーバ装置と、ＵＲＬに基づく提供対象の情報を表示するユーザ端末装置とを備える情報提供システムが開示されている。タグは、タグＩＤをユーザ端末装置により読み取り可能に記憶する記憶部を有し、ディスプレイ装置は、タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤをサーバ装置に送信する送信部とを有する。ユーザ端末装置は、サーバ装置からＵＲＬを受信する受信部と、当該受信したＵＲＬに基づいて提供対象の情報を取得する取得部と、当該取得した提供対象の情報を表示する表示部と、タグからタグＩＤを読み取る読取部と、当該読み取ったタグＩＤをサーバ装置に送信する送信部とを有する。サーバ装置は、ディスプレイＩＤとＵＲＬとを対応付けて記憶する記憶部と、ディスプレイ装置からディスプレイＩＤを受信する受信部と、ユーザ端末装置からタグＩＤを受信する受信部と、ディスプレイ装置からディスプレイＩＤを受信し、且つ、ユーザ端末装置から当該ディスプレイＩＤに一意に対応付けられたタグＩＤを受信したことに応じて、当該ディスプレイＩＤに対応付けられたＵＲＬをユーザ端末装置に送信する送信部とを有する。これにより、ディスプレイ装置上の表示に関連する情報のユーザ端末装置による提供を、１つのタグにより効果的に実現することが可能になるとしている。
【先行技術文献】
【特許文献】
【０００７】
【特許文献１】特開２０１０−１７０５２０号公報
【特許文献２】特開２０１３−１６１０９７号公報
【特許文献３】特開２０１４−８５７５７号公報
【特許文献４】特開２０１５−１８７８３９号公報
【発明の概要】
【発明が解決しようとする課題】
【０００８】
一方、ユーザ端末を活用した行動ターゲティング広告が盛んに行われている。行動ターゲティング広告とは、広告の配信対象となるユーザ端末の行動履歴（ネットワーク上の閲覧履歴や実社会上での回遊履歴等）に基づいて、ユーザ端末を所有するユーザ属性（例えば、興味、関心、嗜好性、志向、性別、年齢、社会的地位等）を推測し、ユーザ属性にターゲットを絞ってユーザ端末にネットワークを介して広告配信を行うことを言う。
【０００９】
ここで、上述したように、非接触電子タグを用いたマーケティングでは、ユーザが、自身の属性に合った商品の非接触電子タグをユーザ端末で読み取って、非接触電子タグを介して情報を取得している。そのため、非接触電子タグが提供する情報は、ユーザ属性を反映させている可能性が高く、非接触電子タグの読取によって、ユーザの属性を分析することが出来れば、非接触電子タグを用いた新たな行動ターゲティング広告を確立することが出来る。
【００１０】
上述した特許文献１−４に記載の技術では、非接触電子タグを介して情報をユーザ端末に表示させるものの、非接触電子タグの読取によって、ユーザの属性を分析することが出来ない。
【００１１】
そこで、本発明は、前記課題を解決するためになされたものであり、非接触電子タグの読取によって、ユーザの属性に合った情報を効果的に配信することが可能な情報配信システム及び情報配信方法を提供することを目的とする。
【課題を解決するための手段】
【００１２】
本発明に係る情報配信システムは、情報提供制御部と、ユーザＩＤ制御部と、タグＩＤ制御部と、閲覧履歴制御部と、広告ＩＤ制御部と、ユーザ属性制御部と、情報配信制御部と、を備える。情報提供制御部は、非接触電子タグに設けられ、ユーザ端末が、前記非接触電子タグを読み取ると、当該非接触電子タグのタグＩＤを含み、サーバのトラッキングタグを埋め込んだウェブサイトのネットワーク特定情報を前記ユーザ端末に対して提供する。ユーザＩＤ制御部は、前記サーバに設けられ、前記ユーザ端末が前記ネットワーク特定情報のウェブサイトを表示させると、当該ユーザ端末のブラウザに、ウェブサイト上の閲覧履歴を識別するためのユーザＩＤを割り付ける。タグＩＤ制御部は、前記サーバに設けられ、前記ユーザＩＤに、当該ネットワーク特定情報に含まれるタグＩＤを関連付ける。閲覧履歴制御部は、前記サーバに設けられ、前記ユーザＩＤを有するユーザ端末のブラウザ又は前記サーバに記憶される閲覧履歴を取得する。広告ＩＤ制御部は、前記サーバに設けられ、前記ユーザＩＤのユーザ端末の閲覧履歴の位置日時情報と、ユーザ端末の位置日時情報とを突合することで、突合したユーザ端末固有の広告ＩＤを取得し、当該ユーザＩＤに関連付ける。ユーザ属性制御部は、前記サーバに設けられ、前記ユーザ端末の閲覧履歴と、当該ユーザ端末のユーザＩＤに関連付けられたタグＩＤのタグ属性とに基づいて、前記ユーザ端末のユーザ属性を分析する。情報配信制御部は、前記サーバに設けられ、前記ユーザ端末のユーザＩＤに関連付けられた広告ＩＤに基づいて、前記ユーザ属性に対応する情報を前記ユーザ端末に配信する。
【００１３】
本発明に係る情報配信方法は、情報提供制御ステップと、ユーザＩＤ制御ステップと、タグＩＤ制御ステップと、閲覧履歴制御ステップと、広告ＩＤ制御ステップと、ユーザ属性制御ステップと、情報配信制御ステップと、を備える。情報配信方法の各ステップは、情報配信システムの各部に対応する。
【発明の効果】
【００１４】
本発明によれば、非接触電子タグの読取によって、ユーザの属性に合った情報を効果的に配信することが可能となる。
【図面の簡単な説明】
【００１５】
【図１】本発明の実施形態に係る情報配信システムの一例を示す概略図である。
【図２】本発明の第一の実施形態に係る情報配信システムの機能ブロック図である。
【図３】本発明の第一の実施形態に係る情報配信方法の実行手順を示すためのフローチャートである。
【図４】ユーザ端末によるベーシックタグの読取と、ウェブサイトの表示との一例を示す図（図４Ａ）と、クッキーＩＤの割り付けの一例を示す図（図４Ｂ）と、である。
【図５】ユーザ端末のクッキーの２種類の形態のそれぞれの一例を示す図（図５Ａ）と、タグＩＤの取得と、クッキーＩＤタグＩＤテーブルの一例を示す図（図５Ｂ）と、である。
【図６】ウェブサイトの閲覧履歴の一例を示す図（図６Ａ）と、他のベーシックタグの読取と、ウェブサイト検索と、同一のベーシックタグの読取の一例を示す図（図６Ｂ）と、である。
【図７】時間帯に応じたウェブサイトの表示の一例を示す図（図７Ａ）と、広告ＩＤの取得と、クッキーＩＤ広告ＩＤテーブルの一例を示す図（図７Ｂ）と、である。
【図８】クッキーＩＤに属するウェブサイトの閲覧履歴の抽出と、閲覧属性の決定の一例を示す図（図８Ａ）と、クッキーＩＤに属するタグＩＤの抽出と、タグＩＤタグ属性テーブルからタグ属性の決定の一例を示す図（図８Ｂ）と、である。
【図９】ユーザ属性コンテンツ情報テーブルの一例を示す図（図９Ａ）と、ユーザ属性に対応する情報の配信の一例を示す図（図９Ｂ）と、である。
【図１０】本発明の第二の実施形態に係る情報配信システムの機能ブロック図である。
【図１１】本発明の第二の実施形態に係る情報配信方法の実行手順を示すためのフローチャートである。
【図１２】ユーザ端末によるインテリジェントタグの読取と、固定ＩＤの取得との一例を示す図（図１２Ａ）と、追加ネットワーク特定情報の生成と、ウェブサイトの表示との一例を示す図（図１２Ｂ）と、である。
【図１３】固定ＩＤの割付の一例を示す図（図１３Ａ）と、固定ＩＤの書換の一例を示す図（図１３Ｂ）と、である。
【図１４】広告ＩＤの関連付け直しと、タグＩＤの関連付け直しの一例を示す図（図１４Ａ）と、固定ＩＤの変更を含むウェブサイトの閲覧履歴の一例を示す図（図１４Ｂ）と、である。
【図１５】インテリジェントタグの最初の読取とインテリジェントタグの二回目の読取による閲覧履歴の一例を示す図（図１５Ａ）と、インテリジェントタグの最初の読取とインテリジェントタグの二回目の読取による読取履歴の一例を示す図（図１５Ｂ）と、である。
【図１６】第一のベーシックタグの読取と、第二のベーシックタグの読取との一例を示す図（図１６Ａ）と、インテリジェントタグの読取の一例を示す図（図１６Ｂ）と、である。
【図１７】タグＩＤの関連付け直しを含むクッキーＩＤタグＩＤテーブルと、固定ＩＤの変更を含むウェブサイトの閲覧履歴の一例を示す図（図１７Ａ）と、クッキーＩＤ広告ＩＤテーブルと端末ＩＤ広告ＩＤテーブルとの一例を示す図（図１７Ｂ）と、である。
【発明を実施するための形態】
【００１６】
以下に、添付図面を参照して、本発明の実施形態について説明し、本発明の理解に供する。尚、以下の実施形態は、本発明を具体化した一例であって、本発明の技術的範囲を限定する性格のものではない。
【００１７】
本発明に係る情報配信システム１は、図１に示すように、ユーザ端末１０と、非接触電子タグ１１と、ユーザ端末１０と通信可能なサーバ１２と、を備えている。
【００１８】
ユーザ端末１０は、画面を表示する表示部（出力部）と、ユーザの操作により所定の指示の入力を受け付ける受付部（入力部）と、無線通信用の通信部と、データを記憶させる記憶部と、各部を制御する制御部と、を備えている。ユーザ端末１０の通信部は、ネットワーク１３を介してサーバ１２と無線通信可能である。ユーザ端末１０は、例えば、タッチパネル付きの携帯端末装置（スマートフォン）、タブレット型端末装置、携帯用のノートパソコン等である。
【００１９】
非接触電子タグ１１は、例えば、ＩＣタグやＲＦＩＤタグを含む。非接触電子タグ１１は、例えば、商品を販売する店舗、スーパーマーケット、量販店等の商品販売店の商品棚、デジタルサイネージ（電光掲示板）、自動販売機に設置される。又、非接触電子タグ１１は、美容院、病院、歯科院、クリニック、整骨院等のサービス提供店のサービス棚に設置される。ここで、非接触電子タグ１１には、ユーザ端末１０の読取に対して、非接触電子タグ１１の記憶媒体に予め記憶された情報を提供するベーシックタグ１１ａと、ユーザ端末１０の読取に対して、当該ユーザ端末１０の読取関連部品の固定ＩＤを取得し、当該固定ＩＤを反映させた情報を提供するインテリジェントタグ１１ｂとが存在する。ベーシックタグ１１ａやインテリジェントタグ１１ｂの使用方法に特に限定は無いが、例えば、ベーシックタグ１１ａは、商品棚１４ａに設置され、インテリジェントタグ１１ｂは、商品棚１４ａの他に、商品購入のためのキャッシュレジスター１４ｂに設置される。
【００２０】
サーバ１２は、一般的に使用されるコンピュータ等であり、基本的に、無線及び有線通信用の通信部と、データを蓄積する記憶部と、各部を制御する制御部と、を備えている。サーバ１２は、ネットワーク１３を経由してユーザ端末１０とデータの送受信をする。サーバ１２は、制御部の種類に応じて、１台でも２台以上でも構わない。
【００２１】
ネットワーク１３は、ユーザ端末１０と、サーバ１２とのそれぞれに通信可能に接続される。ネットワーク１３は、Ｗｉｆｉ（登録商標）アクセスポイントを介したＬＡＮ（Ｌｏｃａｌ  Ａｒｅａ  Ｎｅｔｗｏｒｋ）の他、無線基地局を介したＷＡＮ（Ｗｉｄｅ  Ａｒｅａ  Ｎｅｔｗｏｒｋ）、第３世代（３Ｇ）の通信方式、ＬＴＥなどの第４世代（４Ｇ）の通信方式、第５世代（５Ｇ）以降の通信方式、Ｂｌｕｅｔｏｏｔｈ（登録商標）、特定小電力無線方式等の無線通信ネットワークを含む。
【００２２】
ユーザ端末１０と、サーバ１２とは、図示しないＣＰＵ、ＲＯＭ、ＲＡＭ、ＨＤＤ、ＳＳＤ等を内蔵しており、ＣＰＵは、例えば、ＲＡＭを作業領域として利用し、ＲＯＭ、ＨＤＤ、ＳＳＤ等に記憶されているプログラムを実行する。又、後述する各部についても、ＣＰＵがプログラムを実行することで当該各部を実現する。
【００２３】
＜本発明の第一の実施形態＞
次に、図２、図３を参照しながら、非接触電子タグ１１がベーシックタグ１１ａの場合の本発明の第一の実施形態に係る構成及び実行手順について説明する。ベーシックタグ１１ａは、図４Ａに示すように、例えば、商品販売店内の商品棚１４ａに設置される。
【００２４】
先ず、ユーザが、ユーザ端末１０を携帯して、商品販売店に入り、興味のある商品棚１４ａを見ながら、商品棚１４ａに設置のベーシックタグ１１ａをユーザ端末１０で読み取る（図３：Ｓ１０１）。
【００２５】
すると、ベーシックタグ１１ａの情報提供制御部２０１は、ベーシックタグ１１ａのタグＩＤ（例えば、「ｔ０１」）を含み、サーバ１２のトラッキングタグを埋め込んだウェブサイトのネットワーク特定情報（ドメイン）（例えば、「ｗｗｗ．ａｂｃ．ｃｏｍ？ｔｉｄ＝ｔ０１」）をユーザ端末１０に対して提供する（図３：Ｓ１０２）。
【００２６】
ここで、タグＩＤは、ベーシックタグ１１ａを識別するための特有の識別情報であり、唯一無二で、ベーシックタグ１１ａを含む非接触電子タグ１１毎に異なる識別情報である。又、ネットワーク特定情報は、例えば、ＵＲＬ（Ｕｎｉｆｏｒｍ  Ｒｅｓｏｕｒｃｅ  Ｌｏｃａｔｏｒ）を挙げることが出来る。
【００２７】
ネットワーク特定情報の提供方法に特に限定は無い。例えば、ベーシックタグ１１ａは、ユーザ端末１０の読取に対応して特定の情報を出力する通信のタグである。ベーシックタグ１１ａの管理者が、ベーシックタグ１１ａに割り当てたタグＩＤ（「ｔ０１」）を、ベーシックタグ１１ａの読取により表示させたいネットワーク特定情報（「ｗｗｗ．ａｂｃ．ｃｏｍ」）にパラメータとして付加し、付加したネットワーク特定情報（「ｗｗｗ．ａｂｃ．ｃｏｍ？ｔｉｄ＝ｔ０１」）をベーシックタグ１１ａの記憶媒体に予め記憶させておく。すると、ユーザがユーザ端末１０でベーシックタグ１１ａを読み取った場合、ベーシックタグ１１ａの情報提供制御部２０１は、記憶媒体に記憶されたネットワーク特定情報（「ｗｗｗ．ａｂｃ．ｃｏｍ？ｔｉｄ＝ｔ０１」）をユーザ端末１０に無線で出力して提供する。
【００２８】
ネットワーク特定情報の提供が完了すると、ユーザは、ネットワーク特定情報が示すウェブサイトにユーザ端末１０でアクセス可能となる。そこで、ユーザは、ユーザ端末１０でネットワーク特定情報を指定すると、ユーザ端末１０が、ネットワーク１３を介してネットワーク特定情報のウェブサイトにアクセスし、ユーザ端末１０のブラウザ（ウェブブラウザ）で当該ネットワーク特定情報のウェブサイトをユーザ端末１０の表示部に表示させる（図３：Ｓ１０３）。
【００２９】
ここで、ウェブサイトの画面の構成に特に限定は無い。例えば、ウェブサイト４００には、図４Ａに示すように、ネットワーク特定情報４０１と、商品棚１４ａに関係するクーポン情報４０２（例えば、「Ｃｏｕｐｏｎ  Ａ」）とが表示される。ウェブサイト４００は、更に、クーポン情報４０２を使用するためのバーコード情報４０３を表示しても構わない。ネットワーク特定情報４０１で示すウェブサイト４００は、ベーシックタグ１１ａが設置される商品棚１４ａに関係する情報が表示される。
【００３０】
又、ウェブサイト４００には、サーバ１２のトラッキングタグ（トラッキングコード）４０４が埋め込まれている。そのため、ユーザ端末１０がブラウザでウェブサイト４００のトラッキングタグ４０４を表示させると、トラッキングタグ４０４は、ユーザ端末１０でプログラム的に起動し、サーバ１２と通信する。
【００３１】
トラッキングタグ４０４の起動により、サーバ１２のユーザＩＤ制御部２０２は、トラッキングタグ４０４を表示したユーザ端末１０を認識し、当該ユーザ端末１０のブラウザに、ウェブサイト上の閲覧履歴（アクセス履歴）を識別するためのユーザＩＤが存在するか否かを判定する（図３：Ｓ１０４）。
【００３２】
ここで、ユーザＩＤが存在する（保存される）ユーザ端末１０のブラウザに特に限定は無いが、例えば、クッキーやウェブストレージ等を挙げることが出来る。クッキーもウェブストレージも、サーバ１２特有のユーザＩＤを利用することで、ユーザ端末１０がウェブサイト上で閲覧した際に、ユーザ端末１０のブラウザに記憶される閲覧履歴をサーバ１２に収集する方法である。尚、ユーザ端末１０のブラウザにユーザＩＤが存在することで、ユーザ端末１０の閲覧履歴は、ブラウザだけでなく、サーバ１２にも保存される場合もある。
【００３３】
本発明の第一の実施形態では、ユーザＩＤが存在するユーザ端末１０のブラウザをクッキーとして説明する。クッキーに保存されるユーザＩＤは、クッキーＩＤと呼ばれることもある。又、クッキーには、ユーザがアクセスしているネットワーク特定情報のサーバによって発行されたファーストパーティークッキーと、利用者がアクセスしているネットワーク特定情報とは異なるネットワーク特定情報のサーバによって発行されるサードパーティークッキーが存在するが、ユーザ端末１０のブラウザの中には、セキュリティーの点から、ファーストパーティークッキーの設定のみを許可している場合がある。そのため、クッキーは、ファーストパーティークッキーであると好ましく、これに対応して、トラッキングタグは、ファーストパーティークッキータグであると好ましい。
【００３４】
さて、ユーザＩＤの存否の判定方法に特に限定は無い。例えば、ユーザＩＤ制御部２０２は、ユーザ端末１０のブラウザのクッキーに基づいて、サーバ１２により発行されたユーザＩＤがクッキー内に既に存在するか否かを判定する。ユーザＩＤは、サーバ１２にアクセス（接触）した特定のユーザ端末１０を識別するための特有の識別情報であり、唯一無二で、ユーザ端末１０毎に異なる識別情報である。
【００３５】
例えば、ユーザＩＤ制御部２０２は、ユーザ端末１０のブラウザのクッキーを参照し、参照したクッキーに、サーバ１２の発行先とユーザＩＤとが保存されているか否かを判定する。判定の結果、サーバ１２の発行先とユーザＩＤとが保存されている場合は、ユーザＩＤ制御部２０２は、ユーザＩＤがクッキー内に存在すると判定する。一方、判定の結果、サーバ１２の発行先とユーザＩＤとが保存されていない場合は、ユーザＩＤ制御部２０２は、ユーザＩＤがクッキー内に存在しないと判定する。
【００３６】
ここで、ユーザ端末１０がサーバ１２に初めてアクセスした場合には、ユーザ端末１０のブラウザのクッキー内にユーザＩＤは存在しない。そのため、この場合は、ユーザＩＤ制御部２０２は、ユーザ端末１０のクッキーにユーザＩＤが存在しないと判定し（図３：Ｓ１０４ＮＯ）、当該ユーザ端末１０のクッキーにユーザＩＤを割り付ける（図３：Ｓ１０５）。
【００３７】
ユーザＩＤの割り付け方法に特に限定は無い。例えば、ユーザＩＤ制御部２０２は、初めてアクセスしたユーザ端末１０に対応して、特有のユーザＩＤ（「ａ０１」）を無作為に発行し、図４Ｂに示すように、ネットワーク１３を経由して、当該ユーザＩＤ（「ａ０１」）をユーザ端末１０に送信し、ユーザ端末１０のクッキーに保存（割付）する。
【００３８】
ユーザＩＤが保存されるユーザ端末１０のブラウザのクッキーの形態に特に限定は無い。例えば、図５Ａに示すように、クッキー５００（又はクッキーファイル）が、ユーザＩＤの発行元５０１毎にドメイン５０２を形成している場合、ドメイン５０２内に、固有の識別情報を示すデバイスＩＤ５０３が保存される。発行元５０１は、ユーザ端末１０のクッキーを送信する送信先のアドレスに対応し、サーバ１２を指定する。このようなクッキーの形態では、ユーザＩＤ制御部２０２がユーザＩＤ（「ａ０１」）をユーザ端末１０に送信すると、サーバ１２を指定する発行元５０１ａ（例えば、「ａｄｉｎｔｅ．ｊｐ」）に対して新たにドメイン５０２ａが形成され、そのドメイン５０２ａ内に、発行されたユーザＩＤ５０３ａ（「ａ０１」）がデバイスＩＤ５０３として保存される。尚、発行元５０１が異なるユーザＩＤ５０３は、発行元５０１相互で読み書き出来ないようになっている。
【００３９】
又、クッキー５００の形態は、ブラウザの種類により適宜設計されるため、例えば、ドメイン５０２が存在しない場合もある。その場合であっても、図５Ａに示すように、クッキー５００において、ユーザＩＤ５０３は、発行元５０１（送信先）と対で保存される。尚、ブラウザの種類により、クッキー５００やユーザＩＤ５０３に有効期限（トラフィック可能期間）が設定される場合がある。
【００４０】
ところで、Ｓ１０４において、ユーザ端末１０がサーバ１２に二回以上アクセスしていた場合、例えば、ユーザ端末１０が、上述のトラッキングタグが埋め込まれたウェブサイトを閲覧していた場合、ユーザＩＤ制御部２０２は、そのユーザ端末１０に既にユーザＩＤを割り付けている。この場合は、ユーザ端末１０のブラウザのクッキーに、サーバ１２の発行先とユーザＩＤとが保存されている。そのため、ユーザＩＤ制御部２０２は、ユーザ端末１０のクッキーにユーザＩＤが存在すると判定し（図３：Ｓ１０４ＹＥＳ）、Ｓ１０５のユーザＩＤの割付処理を省略する。これにより、一のユーザ端末１０に対してユーザＩＤの重複割付を防止することが出来る。
【００４１】
さて、ユーザＩＤの割付が完了すると、サーバ１２のタグＩＤ制御部２０３は、ユーザＩＤ（「ａ０１」）に、当該ネットワーク特定情報に含まれるタグＩＤ（「ｔ０１」）を関連付ける（図３：Ｓ１０６）。
【００４２】
ここで、タグＩＤの関連付け方法に特に限定は無い。タグＩＤ（「ｔ０１」）がネットワーク特定情報（「ｗｗｗ．ａｂｃ．ｃｏｍ？ｔｉｄ＝ｔ０１」）にパラメータとして含まれる場合、タグＩＤ制御部２０３は、図５Ｂに示すように、ネットワーク特定情報からタグＩＤ（「ｔ０１」）を取得し、ユーザＩＤタグＩＤテーブル５０４を参照する。ユーザＩＤタグＩＤテーブル５０４には、ユーザＩＤ項目５０５とタグＩＤ項目５０６とが関連付けて記憶されている。そこで、タグＩＤ制御部２０３は、ユーザＩＤ項目５０５に、ユーザ端末１０のユーザＩＤ（「ａ０１」）を記憶させ、タグＩＤ項目５０６に、取得したタグＩＤ（「ｔ０１」）を記憶させる。これにより、ユーザＩＤをタグＩＤに関連付けることが可能となる。尚、ユーザＩＤ項目５０５に、同一のユーザＩＤが記憶されている場合は、同一のユーザＩＤに対してタグＩＤを関連付けて記憶させることになる。
【００４３】
さて、タグＩＤの関連付けが完了すると、ユーザ端末１０のクッキーにユーザＩＤが割り付けられた後に、サーバ１２の閲覧履歴制御部２０４は、ユーザＩＤを有するユーザ端末１０のブラウザ又はサーバ１２に記憶される閲覧履歴を取得する（図３：Ｓ１０７）。
【００４４】
ここで、ユーザ端末１０の閲覧履歴の取得方法に特に限定は無い。例えば、ウェブサイト４００のトラッキングタグ４０４の起動により、ユーザ端末１０が、図６Ａに示すように、ブラウザが表示のウェブサイト４００の閲覧情報を取得する。閲覧情報は、例えば、ネットワーク特定情報４０１（「ｗｗｗ．ａｂｃ．ｃｏｍ？ｔｉｄ＝ｔ０１」）の他に、ベーシックタグ１１ａへの接触の位置情報や日時情報（接触履歴情報）、ウェブサイト４００におけるクーポン利用履歴情報等が含まれる。以下では、閲覧情報は、主にネットワーク特定情報を例に挙げて説明するが、他の情報も含まれる。そして、ユーザ端末１０は、クッキー５００のユーザＩＤ５０３ａ（「ａ０１」）とともに、発行元５０１ａ（「ａｄｉｎｔｅ．ｊｐ」）のサーバ１２にネットワーク１３を介して送信する。すると、閲覧履歴制御部２０４は、ユーザ端末１０からユーザＩＤ５０３ａ（「ａ０１」）と閲覧情報（例えば、ネットワーク特定情報４０１「ｗｗｗ．ａｂｃ．ｃｏｍ？ｔｉｄ＝ｔ０１」）を受信し、ユーザＩＤ５０３ａ（「ａ０１」）にウェブサイト４００の閲覧情報４０１（「ｗｗｗ．ａｂｃ．ｃｏｍ？ｔｉｄ＝ｔ０１」）を関連付けて蓄積する。尚、上述では、クッキーについて、閲覧履歴の取得方法を説明しているが、ウェブストレージについても、同様である。
【００４５】
又、ユーザ端末１０のブラウザにユーザＩＤが付与されることで、ユーザ端末１０の閲覧履歴が、ブラウザだけでなく、サーバ１２にも保存される場合、閲覧履歴制御部２０４は、ユーザＩＤに基づいて、サーバ１２に保存されたユーザＩＤのユーザ端末１０の閲覧履歴を取得しても構わない。
【００４６】
ここで、例えば、ユーザが、先ほど読み取ったベーシックタグ１１ａから離れて、他の商品棚へ行き、他の商品棚に設置の他のベーシックタグ１１ｃをユーザ端末１０で読み取ると、他のベーシックタグ１１ｃでは、他の商品棚に関係する他のネットワーク特定情報（「ｗｗｗ．ｄｅｆ．ｃｏｍ？ｔｉｄ＝ｔ０２」）が記憶されている。そのため、ユーザ端末１０は、他のベーシックタグ１１ｃから他のネットワーク特定情報（「ｗｗｗ．ｄｅｆ．ｃｏｍ？ｔｉｄ＝ｔ０２」）を受け取り、図６Ｂに示すように、ユーザ端末１０のブラウザでウェブサイト６００をユーザ端末１０の表示部に表示させる。表示された他のネットワーク特定情報（「ｗｗｗ．ｄｅｆ．ｃｏｍ？ｔｉｄ＝ｔ０２」）のウェブサイト６００には、上述のように、他のネットワーク特定情報６０１と、他の商品棚に関係するクーポン情報６０２（例えば、「Ｃｏｕｐｏｎ  Ｂ」）とが表示される。更に、ウェブサイト６００には、クーポン情報６０２を使用するためのバーコード情報６０３が表示されても良い。
【００４７】
ここで、他のベーシックタグ１１ｃの読取では、上述と同様に、他のネットワーク特定情報６０１に、タグＩＤ（「ｔ０２」）が含まれ、ウェブサイト６００には、サーバ１２のトラッキングタグ６０４が埋め込まれている。そのため、トラッキングタグ６０４が起動し、ユーザ端末１０のクッキーにはユーザＩＤ５０３ａ（「ａ０１」）が既に割り付けられていることから、タグＩＤ制御部２０３は、ユーザＩＤタグＩＤテーブルにおいて、ユーザＩＤ５０３ａ（「ａ０１」）にタグＩＤ（「ｔ０２」）を関連付け、閲覧履歴制御部２０４は、ユーザＩＤ５０３ａ（「ａ０１」）に閲覧情報６０１（「ｗｗｗ．ｄｅｆ．ｃｏｍ？ｔｉｄ＝ｔ０２」）を関連付けて蓄積することになる。
【００４８】
尚、閲覧履歴制御部２０４の閲覧履歴の取得は、ユーザ端末１０のベーシックタグの読取によるウェブサイトの表示に限られない。例えば、ユーザが、商品販売店内で、自己の興味のあるウェブサイトを検索し、図６Ｂに示すように、ユーザ端末１０のブラウザでウェブサイト６０５をユーザ端末１０の表示部に表示させて、閲覧したとする（ネットサーフィン）。閲覧されたウェブサイト６０５には、ウェブサイト６０５のネットワーク特定情報６０６（「ｗｗｗ．ｘｙｚ．ｃｏｍ」）と、閲覧情報６０７（例えば、サプリメントの情報）とが表示される。
【００４９】
ここで、このウェブサイト６０５にサーバ１２のトラッキングタグ６０８が埋め込まれている場合、トラッキングタグ６０８が起動し、閲覧履歴制御部２０４は、上述と同様に、ユーザＩＤ５０３ａ（「ａ０１」）に閲覧情報６０６（「ｗｗｗ．ｘｙｚ．ｃｏｍ」）を関連付けて蓄積することになる。尚、ネットワーク特定情報６０６（「ｗｗｗ．ｘｙｚ．ｃｏｍ」）には、タグＩＤが存在しないため、タグＩＤ制御部２０３は、タグＩＤの関連付けを省略する。
【００５０】
又、例えば、ユーザ端末１０のクッキーの有効期限が過ぎる前に、ユーザが、再度、商品販売店に入り、同じ商品棚１４ａに設置のベーシックタグ１１ａをユーザ端末１０で読み取ると、ユーザ端末１０は、ベーシックタグ１１ａからネットワーク特定情報（「ｗｗｗ．ａｂｃ．ｃｏｍ？ｔｉｄ＝ｔ０１」）を受信し、図６Ｂに示すように、ユーザ端末１０のブラウザでウェブサイト４００をユーザ端末１０の表示部に表示させる。このネットワーク特定情報４０１には、タグＩＤ（「ｔ０１」）が含まれ、ウェブサイト４００には、サーバ１２のトラッキングタグ４０４が埋め込まれている。そのため、上述と同様に、タグＩＤ制御部２０３は、ユーザＩＤ５０３ａ（「ａ０１」）にタグＩＤ（「ｔ０１」）を関連付け、閲覧履歴制御部２０４は、ユーザＩＤ５０３ａ（「ａ０１」）に閲覧情報４０１（「ｗｗｗ．ａｂｃ．ｃｏｍ？ｔｉｄ＝ｔ０１」）を関連付けて蓄積することになる。
【００５１】
ここで、サーバ１２では、ユーザＩＤ５０３ａ（「ａ０１」）のユーザＩＤタグＩＤテーブルや閲覧履歴により、ユーザＩＤ５０３ａ（「ａ０１」）のユーザ端末１０が同一のベーシックタグ１１ａを読み取り、同一のウェブサイト４００にアクセスしたことを認識する。すると、サーバ１２は、二回目にアクセスしたウェブサイト４００に、リピートを示す情報６０９（例えば、「Ｒｅｐｅａｔ」）を表示させ、クーポン情報４０２に、リピーターに更に特典を与える情報を表示させる。これにより、ユーザによる同一のベーシックタグ１１ａの繰り返し読取を促すことが可能となる。又、ベーシックタグ１１ａの繰り返し読取により、同一のユーザＩＤ５０３ａ（「ａ０１」）に関連付けられる閲覧情報を収集し易くなる。
【００５２】
又、サーバ１２は、特定のネットワーク特定情報（例えば、「ｗｗｗ．ａｂｃ．ｃｏｍ？ｔｉｄ＝ｔ０１」）が示すウェブサイトを、ベーシックタグ１１ａに対するユーザ端末１０の読取の時間帯に応じて異なる表示内容に切り替えるよう構成することが出来る。例えば、時間帯が通常の時間帯（例えば、１０時〜１５時、１５時３０分〜２１時）の場合、サーバ１２は、図７Ａに示すように、通常のクーポン情報４０２を有するウェブサイト４００を特定のネットワーク特定情報４０１（「ｗｗｗ．ａｂｃ．ｃｏｍ？ｔｉｄ＝ｔ０１」）に関連付ける。一方、時間帯が特別な時間帯（例えば、１５時〜１５時３０分）の場合、サーバ１２は、特別値引きのクーポン情報４０２を有するウェブサイト４００を特定のネットワーク特定情報４０１（「ｗｗｗ．ａｂｃ．ｃｏｍ？ｔｉｄ＝ｔ０１」）に関連付ける。特別値引きのウェブサイト４００では、タイムセールを示す情報７１０（例えば、「Ｔｉｍｅ  Ｓａｌｅ」）が表示される。このように、ユーザ端末１０の読取の時間帯に応じてウェブサイト４００の表示内容を切り替えることで、ユーザによるベーシックタグ１１ａの読取の時間に応じて、ウェブサイト４００の内容を変化させることが可能となる。
【００５３】
さて、閲覧履歴制御部２０４が閲覧履歴を取得すると、サーバ１２の広告ＩＤ制御部２０５は、ユーザＩＤ（「ａ０１」）のユーザ端末１０の閲覧履歴の位置日時情報と、ユーザ端末１０の位置日時情報とを突合することで、突合したユーザ端末固有の広告ＩＤを取得し、当該ユーザＩＤ（「ａ０１」）に関連付ける（図３：Ｓ１０８）。
【００５４】
ここで、ユーザ端末１０は、通常、ＯＳの標準的なアプリを搭載していることから、ユーザ端末１０固有の広告ＩＤが、各ユーザ端末１０毎に付与されている。
【００５５】
広告ＩＤは、オプトアウト可能な、匿名かつ一意な広告配信用の識別情報であり、アプリのＳＤＫを介して付されるユーザ端末固有の識別情報である。広告ＩＤは、例えば、ＡｐｐｌｅのＩＤＦＡ（Ａｄｖｅｒｔｉｓｉｎｇ  Ｉｄｅｎｔｉｆｉｅｒ）やＧｏｏｇｌｅのＡＤＩＤ（Ｇｏｏｇｌｅ  Ａｄｖｅｒｔｉｓｉｎｇ  Ｉｄｅｎｔｉｆｉｅｒ）等を挙げることが出来る。ユーザ端末１０に一つのアプリ（標準的なアプリを含む）がインストールされると、当該ユーザ端末１０に一意の広告ＩＤが付与され、ユーザ端末１０に複数のアプリがインストールされている場合であっても、ユーザ端末１０には特定の一意の広告ＩＤが付与され続ける。
【００５６】
ここで、広告ＩＤの関連付け方法に特に限定は無い。一般的に、ユーザＩＤと広告ＩＤは、全く異なる識別情報である。一方、ユーザＩＤでは、特定のユーザ端末１０がブラウザで閲覧したウェブサイトの閲覧履歴と位置日時情報（位置情報と日時情報又は時間情報）と関係し、広告ＩＤは、特定のユーザ端末１０に配信する広告情報と、当該特定のユーザ端末１０の位置日時情報（位置情報と日時情報又は時間情報）とに関係する。ウェブサイトの閲覧履歴は、ユーザ端末１０の位置日時情報が含まれ、広告情報の配信に利用する広告ＩＤは、ユーザ端末１０の位置日時情報が含まれる。
【００５７】
ここで、同等の位置日時情報を有するユーザ端末１０のユーザＩＤと広告ＩＤは、同一のユーザ端末１０に関連付けられていると類推することが出来る。同等の位置日時情報を有するユーザ端末１０とは、同等の位置情報で、且つ、同等の時間情報を有するユーザ端末１０を意味する。そのため、ユーザ端末１０毎の閲覧履歴の位置日時情報と、ユーザ端末１０毎の広告情報に関連付いた位置日時情報とに基づいて、閲覧履歴の位置日時情報に突合した（対応した）位置日時情報を有するユーザ端末の広告ＩＤを特定し、ユーザＩＤを有する特定のユーザ端末１０の広告ＩＤを類推して特定することが出来る（クロスデバイス）。
【００５８】
尚、ユーザＩＤと広告ＩＤとの類推には、例えば、サーバ１２に通信可能に接続され、ウェブサイトの閲覧履歴や広告情報の蓄積量が多い外部サーバ１２ａにより行われても構わない。上述のように、ユーザ端末１０のブラウザにユーザＩＤが付与されることで、ユーザ端末１０の閲覧履歴が、ブラウザ及びサーバ１２にも保存される場合、外部サーバ１２ａは、ユーザＩＤから、サーバ１２又は外部サーバ１２ａに保存されたユーザＩＤのユーザ端末１０の閲覧履歴を利用しても構わない。
【００５９】
例えば、広告ＩＤ制御部２０５は、図７Ｂに示すように、外部サーバ１２ａと通信し、ユーザＩＤ（「ａ０１」）と当該ユーザＩＤのユーザ端末１０の閲覧履歴（位置日時情報を含む）を外部サーバ１２ａに入力し、外部サーバ１２ａにユーザＩＤと閲覧履歴から、同等の位置日時情報を有するユーザ端末１０の広告ＩＤ（例えば、「ａｂｃ」）を類推させ、外部サーバ１２ａから出力される広告ＩＤ（「ａｂｃ」）を取得する。そして、広告ＩＤ制御部２０５は、ユーザＩＤ広告ＩＤテーブル７００を参照する。ユーザＩＤ広告ＩＤテーブル７００には、ユーザＩＤ項目７０１と広告ＩＤ項目７０２とが関連付けて記憶されている。そこで、広告ＩＤ制御部２０５は、ユーザＩＤ項目７０１に、ユーザ端末１０のユーザＩＤ（「ａ０１」）を記憶させ、広告ＩＤ項目７０２に、広告ＩＤ（「ａｂｃ」）を記憶させる。これにより、ユーザＩＤ（「ａ０１」）に広告ＩＤ（「ａｂｃ」）を関連付けることが可能となる。
【００６０】
尚、サーバ１２が、ユーザＩＤと閲覧履歴から、閲覧履歴の位置日時情報と同等の位置日時情報を有するユーザ端末１０の広告ＩＤを類推することが可能である場合は、ユーザＩＤのユーザ端末１０の閲覧履歴の位置日時情報と、ユーザ端末１０の位置日時情報とを突合することで、ユーザＩＤから広告ＩＤを内部的に類推して取得しても良い。
【００６１】
さて、広告ＩＤの関連付けが完了すると、所定のタイミングで、サーバ１２のユーザ属性制御部２０６は、ユーザ端末１０の閲覧履歴と、当該ユーザ端末のユーザＩＤに関連付けられたタグＩＤのタグ属性とに基づいて、ユーザ端末１０のユーザ属性を分析する（図３：Ｓ１０９）。ここで、所定のタイミングは、例えば、閲覧履歴の蓄積量が所定量になった場合やタグＩＤの蓄積量が所定量になった場合、特定のタグの読取が行われた場合等を挙げることが出来る。
【００６２】
又、ユーザ属性の分析方法に特に限定は無い。例えば、ユーザ属性制御部２０６は、収集されたウェブサイトの閲覧履歴を参照する。ウェブサイトの閲覧履歴８００には、図８Ａに示すように、ユーザＩＤ８０１毎に関連付けられた閲覧情報８０２（例えば、ネットワーク特定情報のＵＲＬ）が蓄積されている。そこで、ユーザ属性制御部２０６は、分析対象のユーザ端末１０に割り当てられたユーザＩＤ８０１ａ（「ａ０１」）に属するウェブサイトの閲覧情報８０２ａを抽出する。そして、ユーザ属性制御部２０６は、抽出したウェブサイトの閲覧情報８０２ａから、ネットワーク特定情報を特定し、特定したネットワーク特定情報から、キーワード、ＵＲＬ、ウェブサイト上の文脈の文字情報を収集し、収集した文字情報に基づいて、ウェブサイトの閲覧におけるユーザの興味関心を示す閲覧属性（例えば、「Ｕｗ０１」）を決定する。閲覧属性の決定には、言語構造解析を含む。
【００６３】
又、ユーザ属性制御部２０６は、ユーザＩＤタグＩＤテーブルを参照する。ユーザＩＤタグＩＤテーブル８０３には、図８Ｂに示すように、ユーザＩＤ８０４毎に関連付けられたタグＩＤ８０５が蓄積されている。そこで、ユーザ属性制御部２０６は、分析対象のユーザ端末１０に割り当てられたユーザＩＤ８０４ａ（「ａ０１」）に属するタグＩＤ８０５ａ（「ｔ０１」、「ｔ０２」）を抽出する。
【００６４】
そして、ユーザ属性制御部２０６は、タグＩＤタグ属性テーブルを参照する。タグＩＤタグ属性テーブル８０６には、図８Ｂに示すように、タグＩＤ８０７毎に、当該タグＩＤのベーシックタグ１１ａを含む非接触電子タグ１１の属性を示すタグ属性８０８が関連付けて記憶されている。タグ属性８０８は、例えば、非接触電子タグ１１が設置された商品棚１４ａの種類、ジャンル、設置場所、商品棚１４ａを有する商品販売店の種類、ジャンル、店の場所等のいずれか又はこれらの組み合わせを挙げることが出来る。ユーザ属性制御部２０６は、タグＩＤタグ属性テーブル８０６から、抽出したタグＩＤ８０５ａ（「ｔ０１」、「ｔ０２」）に対応するタグ属性８０８ａ（「Ｕｔ０１」、「Ｕｔ０２」）を決定する。
【００６５】
そして、ユーザ属性制御部２０６は、決定した閲覧属性（「Ｕｗ０１」）とタグ属性（「Ｕｔ０１」、「Ｕｔ０２」）を用いて、ユーザ属性（例えば、「Ｕａ０１」）を分析する。ユーザ属性は、例えば、性別（男性、女性、ＬＧＢＴ）、年代（年齢分布帯）、世帯規模（一人、二人、四人等）、世帯類型（単身、夫婦、パートナー、核家族、二世代同居）、所得（年収）、社会属性（学生、ビジネスマン、主婦等）、雇用形態（正社員、アルバイト、パート等）、教育歴（最終学歴等）、心理のライフスタイル（文化志向、アウトドア志向、スポーツ志向等）、パーソナリティ（神経質、温和、社交的、権威主義的、野心的等）、行動の価値観（物質重視、体験重視、即物的、観念的等）、興味関心（外食、楽器、週末の過ごし方、料理、車、ゴルフ等）、ロイヤリティ（ポイント取得、手数料重視等）、態度（ロイヤリティの取得、使用密度等）を含む。
【００６６】
ここで、ユーザ属性の分析方法に特に限定は無く、例えば、ユーザ属性制御部２０６は、閲覧属性（「Ｕｗ０１」）とタグ属性（「Ｕｔ０１」、「Ｕｔ０２」）とを組み合わせることで想定されるユーザ属性を分析しても良いし、閲覧属性（「Ｕｗ０１」）とタグ属性（「Ｕｔ０１」、「Ｕｔ０２」）との共通点から想定されるユーザ属性を分析しても良い。閲覧属性は、ユーザが実際に閲覧したウェブサイトを反映し、タグ属性は、ユーザがユーザ端末１０で実際に読み取った非接触電子タグ１１を反映しているため、閲覧属性とタグ属性とを組み合わせることで、ユーザ属性を確からしく分析することが可能となる。
【００６７】
尚、ユーザ属性の分析は、１回のベーシックタグ１１ａの読取だけでも可能であり、２回以上のベーシックタグ１１ａの読取でも可能である。例えば、ユーザが、ユーザ端末１０で、汎用店における男性用ヘア関連のベーシックタグ１１ａを読み取ることで、ユーザ属性制御部２０６は、男性用ヘア関連情報の閲覧履歴と、汎用店舗情報のタグ属性とに基づいて、一般的な男性のユーザ属性を分析することが出来る。このユーザが、更に、ユーザ端末１０で、専門店における男性用化粧品関連のベーシックタグ１１ａを読み取ることで、ユーザ属性制御部２０６は、男性用ヘア関連情報と男性用化粧品関連情報の閲覧履歴と、汎用店情報と専門店情報のタグ属性とに基づいて、更に限定した若年層の男性のユーザ属性を分析することが出来る。このように、ユーザ属性の分析は、１回のベーシックタグ１１ａの読取だけでも可能であるが、２回以上のベーシックタグ１１ａの読取であると、ユーザ属性を絞り込み易くなるため、好ましい。
【００６８】
さて、ユーザ属性の分析が完了すると、サーバ１２の情報配信制御部２０７は、ユーザＩＤ（「ａ０１」）に対応する広告ＩＤ（「ａｂｃ」）に基づいて、ユーザ属性（「Ｕａ０１」）に対応する情報をユーザ端末１０に配信する（図３：Ｓ１１０）。
【００６９】
ここで、情報の配信方法に特に限定は無い。例えば、情報配信制御部２０７は、ユーザ属性コンテンツ情報テーブルを参照する。ユーザ属性コンテンツ情報テーブル９００には、図９Ａに示すように、分析されるユーザ属性９０１（例えば、「Ｕａ０１」）に対して、当該ユーザ属性９０１のユーザが興味を示すと推定されるコンテンツ情報９０２（例えば、「Ａｉ０１」）が関連付けて記憶されている。
【００７０】
情報配信制御部２０７は、参照したユーザ属性コンテンツ情報テーブル９００から、分析したユーザ属性９０１ａ（「Ｕａ０１」）に対応するコンテンツ情報９０２ａ（「Ａｉ０１」）を取得する。これにより、ユーザ属性９０１ａに合った最適なコンテンツ情報９０２ａを選択することが出来る。
【００７１】
そして、情報配信制御部２０７は、ユーザＩＤ広告ＩＤテーブル５０４を参照して、ユーザＩＤ（「ａ０１」）に対応する広告ＩＤ（「ａｂｃ」）を取得し、当該広告ＩＤ（「ａｂｃ」）を用いて、ユーザ端末１０を特定し、特定したユーザ端末１０に、取得したコンテンツ情報９０２ａ（「Ａｉ０１」）をネットワーク１３を介して送信する。
【００７２】
ここで、コンテンツ情報９０２ａの送信タイミングに特に限定は無い。例えば、ユーザ端末１０を携帯したユーザが、図９Ｂに示すように、商品販売店を出た後に、ユーザ端末１０のブラウザで、所定のネットワーク特定情報（例えば、「ｗｗｗ．ｇｈｉ．ｃｏｍ」）が示すウェブサイト９０３をユーザ端末１０の表示部に表示させた際に、当該ウェブサイト９０３には、ネットワーク特定情報９０４（「ｗｗｗ．ｇｈｉ．ｃｏｍ」）と、閲覧情報９０５（例えば、「Ｎｅｗｓ」）と、広告表示欄９０６とが表示される。この広告表示欄９０６には、広告に関する情報を掲載することが出来る。
【００７３】
そこで、情報配信制御部２０７は、このタイミングで、取得したコンテンツ情報９０２ａ（「Ａｉ０１」）を広告表示欄９０６に送信する。広告表示欄９０６には、コンテンツ情報９０２ａ（「Ａｉ０１」）が表示されるが、このコンテンツ情報９０２ａ（「Ａｉ０１」）は、ユーザ属性９０１ａ（「Ｕａ０１」）のユーザが興味を持ちそうな情報である。これにより、ユーザ属性（「Ｕａ０１」）に対応して、ユーザが興味を持ちそうな情報をタイミング良く送信することが可能となり、ユーザを効果的に惹き付けることが可能となる。又、ユーザ属性（「Ｕａ０１」）は、ユーザがウェブサイトを閲覧したという閲覧結果と、ユーザが商品棚１４ａのベーシックタグ１１ａをユーザ端末１０で読み取ったという行動結果を反映していることから、ユーザにインパクトのある（興味の度合いが強いと考えられる）リターゲティング広告を行うことが可能となる。
【００７４】
尚、上述では、説明を簡略化するために、一つのサーバ１２が各部を制御して実行しているが、複数のサーバを組み合わせて協働させることで、情報配信処理を実行しても構わない。例えば、複数のサーバ１２として、ＤＳＰ（Ｄｅｍａｎｄ  Ｓｉｄｅ  Ｐｌａｔｆｏｒｍ）サーバと、ＳＳＰ（Ｓｕｐｐｌｙ  Ｓｉｄｅ  Ｐｌａｔｆｏｒｍ）サーバとを挙げることが出来る。サーバ１２が、広告ＩＤのユーザ端末１０にコンテンツ情報を配信する場合、ＤＳＰサーバが、広告ＩＤを指定し、ＳＳＰサーバが、ウェブサイトにアクセスしたユーザ端末１０のうち、広告ＩＤを有するユーザ端末１０にコンテンツ情報を配信する。このように構成して、情報配信をしても構わない。
【００７５】
又、第一の実施形態では、ユーザＩＤタグＩＤテーブルにおいて、ユーザＩＤにタグＩＤを関連付ける際に、非接触電子タグ１１に対するユーザ端末１０の読取時刻をタグＩＤに追加して関連付けても良い。そして、ユーザ属性を分析する際に、タグＩＤに関連付けられた読取時刻を用いて、タグ属性を決定しても構わない。ユーザ端末１０の読取時刻を考慮することで、ユーザの活動時間を考慮したユーザ属性の分析を可能とする。
【００７６】
＜本発明の第二の実施形態＞
次に、図１０、図１１を参照しながら、非接触電子タグ１１がインテリジェントタグ１１ｂの場合の本発明の第二の実施形態に係る構成及び実行手順について説明する。インテリジェントタグ１１ｂは、例えば、ベーシックタグ１１ａと同様に、図１２Ａに示すように、商品販売店内の商品棚１４ａに設置される。
【００７７】
ユーザが、商品販売店に入り、商品棚１４ａに設置のインテリジェントタグ１１ｂをユーザ端末１０で読み取る（図１１：Ｓ２０１）。
【００７８】
すると、インテリジェントタグ１１ｂの固定ＩＤ制御部２０８は、ユーザ端末１０から、当該ユーザ端末１０の読取関連部品の固定ＩＤ（例えば、「ｂ０１」）を取得する（図１１：Ｓ２０２）。ユーザ端末１０の読取関連部品は、インテリジェントタグ１１ｂを含む非接触電子タグ１１を読み取るための非接触読取用のＩＣチップを含む。又、固定ＩＤは、ユーザ端末１０のＮＦＣ（Ｎｅａｒ  Ｆｉｅｌｄ  Ｃｏｍｍｕｎｉｃａｔｉｏｎ）固有の識別情報であり、例えば、ユーザ端末１０の読取関連部品（ＩＣチップ）を特定可能な識別情報であり、唯一無二で、ユーザ端末１０毎に異なる識別情報となる。
【００７９】
ここで、固定ＩＤの取得方法に特に限定は無い。例えば、インテリジェントタグ１１ｂは、ユーザ端末１０の読取に対応して、ユーザ端末１０の種類に応じて情報を変更して、その情報を出力する通信のタグである。インテリジェントタグ１１ｂの管理者が、インテリジェントタグ１１ｂを読み取るユーザ端末１０の読取関連部品の固定ＩＤ（「ｂ０１」）を取得するように設計すれば良い。
【００８０】
さて、ユーザ端末１０の読取関連部品の固定ＩＤの取得が完了すると、インテリジェントタグ１１ｂの情報提供制御部２０１は、インテリジェントタグ１１ｂのタグＩＤ（例えば、「ｔ０３」）を含み、サーバ１２のトラッキングタグを埋め込んだウェブサイトのネットワーク特定情報（例えば、「ｗｗｗ．ａｂｃ．ｃｏｍ？ｔｉｄ＝ｔ０３」）に固定ＩＤ（「ｂ０１」）を追加した追加ネットワーク特定情報をユーザ端末１０に対して提供する（図１１：Ｓ２０３）。
【００８１】
追加ネットワーク特定情報の提供方法に特に限定は無い。例えば、インテリジェントタグ１１ｂの管理者が、インテリジェントタグ１１ｂが固定ＩＤを取得すると、インテリジェントタグ１１ｂの記憶媒体に予め記憶されたネットワーク特定情報を取得し、取得した固定ＩＤをネットワーク特定情報に追加した追加ネットワーク特定情報を生成する。
【００８２】
追加ネットワーク特定情報の生成方法に特に限定は無いが、例えば、図１２Ｂに示すように、情報提供制御部２０１は、固定ＩＤ（「ｂ０１」）をネットワーク特定情報にネットワーク特定情報（「ｗｗｗ．ａｂｃ．ｃｏｍ？ｔｉｄ＝ｔ０３」）のパラメータとして付加することで、追加ネットワーク特定情報（「ｗｗｗ．ａｂｃ．ｃｏｍ？ｔｉｄ＝ｔ０３＆ｕｉｄ＝ｂ０１」）を生成する。
【００８３】
そして、情報提供制御部２０１は、生成した追加ネットワーク特定情報（「ｗｗｗ．ａｂｃ．ｃｏｍ？ｔｉｄ＝ｔ０３＆ｕｉｄ＝ｂ０１」）をユーザ端末１０に無線で出力して提供する。
【００８４】
さて、追加ネットワーク特定情報の提供が完了すると、ユーザの追加ネットワーク特定情報の指定により、ユーザ端末１０が、ネットワーク１３を介して追加ネットワーク特定情報のウェブサイトにアクセスし、ユーザ端末１０のブラウザでウェブサイトをユーザ端末１０の表示部に表示させる（図１１：Ｓ２０４）。
【００８５】
ウェブサイトの画面の構成に特に限定は無い。ウェブサイト１２００には、図１２Ｂに示すように、追加ネットワーク特定情報１２０１と、商品棚１４ａに関係するクーポン情報１２０２（「Ｃｏｕｐｏｎ  Ａ」）と、クーポン情報１２０２を使用するためのバーコード情報１２０３とが表示される。
【００８６】
ここで、追加ネットワーク特定情報１２０１で示すウェブサイト１２００は、サーバ１２のトラッキングタグ１２０４が埋め込まれているため、ウェブサイト１２００の表示により、トラッキングタグ１２０４が起動し、サーバ１２と通信する。
【００８７】
サーバ１２のユーザＩＤ制御部２０２は、トラッキングタグ１２０４が起動したユーザ端末１０のブラウザ（例えば、クッキー）に、ウェブサイト上の閲覧履歴を識別するためのユーザＩＤ（例えば、クッキーＩＤともいう）が存在するか否かを判定する（図１１：Ｓ２０５）。ここで、ユーザＩＤの存否の判定方法は、第一の実施形態と同様であるため、その説明を省略する。
【００８８】
ユーザ端末１０のブラウザのクッキー内にユーザＩＤが存在しない場合（図１１：Ｓ２０５ＮＯ）、ユーザＩＤ制御部２０２は、追加ネットワーク特定情報（「ｗｗｗ．ａｂｃ．ｃｏｍ？ｔｉｄ＝ｔ０３＆ｕｉｄ＝ｂ０１」）の固定ＩＤ（「ｂ０１」）をユーザＩＤとして割り付ける（図１１：Ｓ２０６）
【００８９】
ここで、固定ＩＤの割付方法に特に限定は無い。例えば、図１３Ａに示すように、ユーザＩＤ制御部２０２は、追加ネットワーク特定情報（「ｗｗｗ．ａｂｃ．ｃｏｍ？ｔｉｄ＝ｔ０３＆ｕｉｄ＝ｂ０１」）にパラメータとして付加された固定ＩＤ（「ｂ０１」）を取得し、ネットワーク１３を経由して、当該固定ＩＤ（「ｂ０１」）をユーザ端末１０に送信する。すると、ユーザ端末１０のクッキーでは、サーバ１２の発行元５０１ａ（「ａｄｉｎｔｅ．ｊｐ」）に対して新たにドメイン５０２ａが形成され、そのドメイン５０２ａ内に、固定ＩＤ（「ｂ０１」）がユーザＩＤとして保存される。保存されたユーザＩＤは、ユーザ端末１０の読取関連部品の固定ＩＤであるから、唯一無二で、ユーザ端末１０毎に異なる識別情報となる。
【００９０】
このように、ユーザ端末１０の読取関連部品の固定ＩＤをユーザＩＤとして利用することで、クッキーの有効期限が過ぎて、クッキーに記憶されたデータ（例えば、発行先やユーザＩＤ）が消滅した場合であっても、ユーザ端末１０がインテリジェントタグ１１ｂを読み取れば、同一の固定ＩＤをユーザＩＤとして保存させることが可能となる。
【００９１】
尚、ユーザＩＤ制御部２０２が、固定ＩＤをユーザＩＤとして割り付ける際に、固定ＩＤを所定の規則に基づいて、規則性の無い固定長の値（例えば、ハッシュ値）を算出し、算出したハッシュ値を固定ＩＤの代わりにユーザＩＤとして割り付けても良い。これにより、固定ＩＤがクッキーを介して公開されることを防止し、ユーザ端末１０のセキュリティーを高めることが出来る。
【００９２】
さて、ユーザＩＤの割付が完了すると、サーバ１２のタグＩＤ制御部２０３は、ユーザＩＤ（「ｂ０１」）に、当該ネットワーク特定情報に含まれるタグＩＤ（「ｔ０２」）を関連付ける（図１１：Ｓ２０７）。ここで、タグＩＤの関連付け方法は、第一の実施形態と同様であり、例えば、ユーザＩＤタグＩＤテーブルにおいて、ユーザＩＤ（「ｂ０１」）にタグＩＤ（「ｔ０２」）が関連付けて記憶される。
【００９３】
ところで、Ｓ２０５において、ユーザ端末１０がサーバ１２に二回以上アクセスしていた場合、ユーザＩＤ制御部２０２は、ユーザ端末１０のクッキーにユーザＩＤが存在すると判定する（図１１：Ｓ２０５ＹＥＳ）。この場合、ユーザＩＤ制御部２０２は、更に、ユーザ端末１０のクッキーのユーザＩＤが固定ＩＤであるか否かを判定する（図１１：Ｓ２０８）。言い換えると、クッキーにユーザＩＤが存在するユーザ端末１０は、インテリジェントタグ１１ｂを一度読み取ったか否かを判定する。
【００９４】
ユーザＩＤの判定方法に特に限定は無い。例えば、ユーザＩＤ制御部２０２は、ユーザ端末１０のクッキーからユーザＩＤ（例えば、「ｃ０１」）を取得するとともに、追加ネットワーク特定情報から固定ＩＤ（「ｂ０１」）を取得し、取得したユーザＩＤが固定ＩＤと同一か否かを判定する。
【００９５】
判定の結果、ユーザＩＤが固定ＩＤと同一でない場合（図１１：Ｓ２０８ＮＯ）、この場合は、ユーザ端末１０は、インテリジェントタグ１１ｂ以外で、サーバ１２にアクセスすることで、ユーザＩＤが割り付けられたことになる。この場合、図１３Ｂに示すように、ユーザＩＤ制御部２０２は、固定ＩＤ（「ｂ０１」）をユーザ端末１０に送信し、ユーザ端末１０のクッキーのユーザＩＤ（「ｃ０１」）を固定ＩＤ（「ｂ０１」）に書き換える（図１１：Ｓ２０９）。これにより、ユーザＩＤを再現性のある固定ＩＤに変更することが可能となる。
【００９６】
固定ＩＤの書き換えが完了すると、タグＩＤ制御部２０３は、書き換え前のユーザＩＤに関連付けられたタグＩＤを固定ＩＤに関連付け直す（図１１：Ｓ２１０）。
【００９７】
ここで、タグＩＤの関連付け直し方法に特に限定は無い。例えば、タグＩＤ制御部２０３は、ユーザＩＤタグＩＤテーブル１４００を参照する。既にユーザＩＤが保存されている場合、ユーザＩＤタグＩＤテーブル１４００には、図１４Ａに示すように、書き換えられたユーザＩＤ（旧ユーザＩＤ）（「ｃ０１」）を含むユーザＩＤ項目１４０１とタグＩＤ項目１４０２（例えば、「ｔ０１」）とが関連付けて記憶されている。そこで、タグＩＤ制御部２０３は、参照したユーザＩＤタグＩＤテーブル１４００から、旧ユーザＩＤ１４０１ａ（「ｃ０１」）を固定ＩＤ（新ユーザＩＤ）（「ｂ０１」）に変更する。これにより、上述と同様に、旧ユーザＩＤ１４０１ａ（「ｃ０１」）に関連付けられたタグＩＤ１４０２ａ（「ｔ０１」）を新ユーザＩＤ（「ｂ０１」）に引き継がせることが出来る。
【００９８】
尚、ユーザ端末１０がインテリジェントタグ１１ｂを読み取ることなく、サーバ１２にアクセスしていた場合には、ユーザＩＤタグＩＤテーブル１４００には、旧ユーザＩＤに関連付いたタグＩＤは存在しない。その場合は、タグＩＤ制御部２０３は、タグＩＤの関連付け直しを省略しても構わない。
【００９９】
そして、タグＩＤ制御部２０３は、追加ネットワーク特定情報からタグＩＤ（「ｔ０３」）を取得し、ユーザＩＤタグＩＤテーブル１４００のユーザＩＤ項目１４０１に、固定ＩＤ１４０１ｂ（「ｂ０１」）を記憶させ、タグＩＤ項目１４０２に、取得したタグＩＤ１４０２ｂ（「ｔ０３」）を記憶させ、固定ＩＤにタグＩＤを関連付ける（図１１：Ｓ２１０）。これにより、ユーザ端末１０がインテリジェントタグ１１ｂを読み取ったことを記憶させることが出来る。
【０１００】
タグＩＤの関連付け直しが完了し、仮に、書き換え前のユーザＩＤに広告ＩＤが関連付けられている場合、広告ＩＤ制御部２０５は、書き換え前のユーザＩＤに関連付けられた広告ＩＤを固定ＩＤに関連付け直す（図１１：Ｓ２１１）。
【０１０１】
ここで、広告ＩＤの関連付け直し方法に特に限定は無い。例えば、広告ＩＤ制御部２０５は、ユーザＩＤ広告ＩＤテーブル１４０３を参照する。既に広告ＩＤが関連付けられている場合、ユーザＩＤ広告ＩＤテーブル１４０３には、図１４Ａに示すように、書き換え前のユーザＩＤ（旧ユーザＩＤ）（「ｃ０１」）を含むユーザＩＤ１４０４と広告ＩＤ１４０５（例えば、「ｄｅｆ」）とが関連付けて記憶されている。そこで、広告ＩＤ制御部２０５は、参照したユーザＩＤ広告ＩＤテーブル１４０３から、旧ユーザＩＤ１４０４ａ（「ｃ０１」）を固定ＩＤ（新ユーザＩＤ）（「ｂ０１」）に変更する。これにより、旧ユーザＩＤ１４０４ａ（「ｃ０１」）に関連付けられた広告ＩＤ１４０５ａ（「ｄｅｆ」）を新ユーザＩＤ（「ｂ０１」）に引き継がせることが出来る。
【０１０２】
尚、ウェブサイトの閲覧履歴の蓄積量が不十分等の理由により、書き換え前のユーザＩＤに広告ＩＤが関連付けられていない場合、広告ＩＤ制御部２０５は、広告ＩＤの関連付け直しを省略しても構わない。
【０１０３】
ところで、Ｓ２０８において、判定の結果、ユーザＩＤが固定ＩＤと同一である場合（図１１：Ｓ２０８ＹＥＳ）、この場合は、ユーザ端末１０は、既にインテリジェントタグ１１ｂを読み取り、固定ＩＤがユーザＩＤとして割り付けられて、固定ＩＤの書き換えが完了していることになる。そのため、この場合は、Ｓ２０９の固定ＩＤの書き換え処理と、Ｓ２１０のタグＩＤの関連付け直し処理と、Ｓ２１１の広告ＩＤの関連付け直し処理と、を省略する。これにより、無駄な処理を省略することが出来る。
【０１０４】
さて、ユーザ端末１０のクッキーに固定ＩＤがユーザＩＤとして割り付けられた後では、サーバ１２の閲覧履歴制御部２０４は、ユーザＩＤを有するユーザ端末１０のブラウザに記憶される閲覧履歴を取得する（図１１：Ｓ２１２）。
【０１０５】
ここで、ユーザＩＤが固定ＩＤに書き換えられた直後であれば、閲覧履歴制御部２０４は、先ず、図１４Ｂに示すように、閲覧履歴１４０６のユーザＩＤ１４０７のうち、旧ユーザＩＤ１４０７ａ（「ｃ０１」）を固定ＩＤ（新ユーザＩＤ）（「ｂ０１」）に変更することで、旧ユーザＩＤ１４０７ａに関連付けられた閲覧情報１４０８ａを固定ＩＤに関連付け直す。これにより、旧ユーザＩＤで収集された閲覧情報１４０８ａを固定ＩＤに引き継がせて、精度高いユーザ属性の分析を行うことが出来る。
【０１０６】
そして、閲覧履歴制御部２０４は、閲覧履歴１４０６において、固定ＩＤ１４０７ｂ（「ｂ０１」）にウェブサイト１２００の閲覧情報１２０１（例えば、「ｗｗｗ．ａｂｃ．ｃｏｍ？ｔｉｄ＝ｔ０３＆ｕｉｄ＝ｂ０１」）を関連付けて蓄積する。このように、ユーザ端末１０が、サーバ１２のトラッキングタグを有するウェブサイトを表示させる度に、閲覧履歴制御部２０４が、固定ＩＤ（「ｂ０１」）に閲覧情報を関連付けて記憶させることになる。
【０１０７】
ここで、クッキーに有効期限が存在する場合、クッキーの有効期限が過ぎると、クッキーのデータが消滅するため、閲覧履歴制御部２０４が取得した閲覧履歴１４０６は、クッキーが消滅した特定のユーザ端末１０と関連付かなくなり、役に立たなくなる。つまり、第一の実施形態では、クッキーに有効期限が存在する場合、クッキーの有効期限内に取得した閲覧履歴しか、ユーザ属性の分析と情報配信に利用することが出来ないのである。
【０１０８】
一方、第二の実施形態では、ユーザ端末１０の読取関連部品の固定ＩＤをユーザＩＤとして利用する。これにより、仮に、クッキーの有効期限の徒過により、クッキーのデータが消滅したとしても、ユーザ端末１０がインテリジェントタグ１１ｂを再度読み取ることで、同一のユーザ端末１０のクッキーに同一の固定ＩＤをユーザＩＤとして割り付けることが可能となり、ユーザＩＤの再現と過去の閲覧履歴の再利用を図ることが出来る。
【０１０９】
例えば、ユーザがユーザ端末１０でインテリジェントタグ１１ｂを最初に読み取った後、クッキーのデータが消滅し、再度、ユーザがユーザ端末１０でインテリジェントタグ１１ｂを二回目に読み取った場合、図１５Ａに示すように、閲覧履歴制御部２０４は、二回目のインテリジェントタグ１１ｂの読取による閲覧履歴１５００として、同一の固定ＩＤをユーザＩＤ１５０１（「ｂ０１」）として、当該ユーザＩＤ１５０１に閲覧情報１５０２を関連付けて蓄積することになる。尚、ウェブストレージであっても同様である。
【０１１０】
ここで、閲覧履歴制御部２０４が閲覧履歴を取得すると、サーバ１２の広告ＩＤ制御部２０５は、ユーザＩＤ（「ｂ０１」）のユーザ端末１０の閲覧履歴の位置日時情報と、ユーザ端末１０の位置日時情報とを突合することで、突合したユーザ端末固有の広告ＩＤ（例えば、「ｄｅｆ」）を取得し、例えば、ユーザＩＤ広告ＩＤテーブルにおいて、ユーザＩＤ（「ｂ０１」）に広告ＩＤ（「ｄｅｆ」）を関連付けて記憶する（図１１：Ｓ２１３）。ここで、広告ＩＤの関連付け方法は、第一の実施形態と同様である。尚、Ｓ２１１において、広告ＩＤの関連付け直し処理が行われている場合は、Ｓ２１３の広告ＩＤの関連付け処理を省略しても構わない。又、広告ＩＤの関連付けは、類推であるため、更に蓄積された閲覧履歴（位置日時情報を含む）と、ユーザ端末１０の位置日時情報とを用いて、再度、閲覧履歴の位置日時情報とユーザ端末１０の位置日時情報とを突合して、広告ＩＤを再度取得して、関連付け直しても構わない。
【０１１１】
さて、広告ＩＤの関連付けが完了して、所定のタイミングで、サーバ１２のユーザ属性制御部２０６が、ユーザ端末１０のユーザ属性を分析する場合（図１１：Ｓ２１４）、インテリジェントタグ１１ｂの最初の読取による固定ＩＤ１４０７（「ｂ０１」）のウェブサイトの閲覧情報１４０８と、インテリジェントタグ１１ｂの二回目の読取による固定ＩＤ１５０１（「ｂ０１」）のウェブサイトの閲覧情報１５０２を抽出して、閲覧属性（例えば、「Ｕｗ０２」）を決定することになる。つまり、ユーザ端末１０のクッキーに、再度、同一の固定ＩＤがユーザＩＤとして割り付けられることで、固定ＩＤが二回目に割り付けられた閲覧履歴１５００のみならず、固定ＩＤが最初に割り付けられた閲覧履歴１４０６もユーザ属性の分析に利用することが出来るのである。
【０１１２】
又、タグ属性についても同様である。ユーザ属性制御部２０６は、図１５Ｂに示すように、インテリジェントタグ１１ｂの最初の読取によるユーザＩＤタグＩＤテーブル１４０３と、インテリジェントタグ１１ｂの二回目の読取によるユーザＩＤタグＩＤテーブル１５０３とを参照し、インテリジェントタグ１１ｂの最初の読取による固定ＩＤ１４０４（「ｂ０１」）のタグＩＤ１４０５（例えば、「ｔ０１」、「ｔ０３」）と、インテリジェントタグ１１ｂの二回目の読取による固定ＩＤ１５０４（「ｂ０１」）のタグＩＤ１５０５（例えば、「ｔ０４」、「ｔ０５」）とを抽出して、タグＩＤタグ属性テーブルを用いて、抽出したタグＩＤに対応するタグ属性（例えば、「Ｕｔ０６」）を決定する。ここで、ユーザ属性制御部２０６は、タグＩＤの数が多い場合、同一又は類似するタグＩＤを集約してタグ属性を決定しても良いし、抽出したタグＩＤに対応するタグ属性の数が多い場合、同一又は類似するタグ属性を集約してタグ属性を決定しても良い。このように、インテリジェントタグ１１ｂの二回目の読取履歴のみならず、インテリジェントタグ１１ｂの最初の読取履歴もユーザ属性の分析に利用することが可能となる。
【０１１３】
そして、ユーザ属性制御部２０６は、閲覧属性（「Ｕｗ０２」）とタグ属性（「Ｕｔ０６」）とに基づいて、ユーザ属性を分析する。このように、クッキーに有効期限が存在したとしても、同一の固定ＩＤをユーザＩＤとして割り付けることで、過去の閲覧履歴やタグの読取履歴を幅広くユーザ属性の分析に利用することが出来るようになり、より確からしいユーザ属性の分析を行うことが可能となる。
【０１１４】
例えば、インテリジェントタグ１１ｂの最初の読取により、男性用洋服関連の閲覧履歴と特定の男性洋品店でのタグの読取履歴が収集され、その後、インテリジェントタグ１１ｂの二回目の読取により、ファミリー関連の閲覧履歴と大衆食事店でのタグの読取履歴が収集された場合、二つの閲覧履歴に基づいて、家族持ちで、平均年収の男性というユーザ属性を分析することが出来る。尚、最初の閲覧履歴だけでは、ユーザ属性が男性と幅広く分析され、二回目の閲覧履歴だけでは、ユーザ属性が家族持ちを幅広く分析されてしまうが、二つの閲覧履歴を合わせることで、より確からしいユーザ属性を分析することが出来るのである。
【０１１５】
さて、サーバ１２の情報配信制御部２０７は、ユーザＩＤ（「ｂ０１」）に対応する広告ＩＤ（「ｄｅｆ」）に基づいて、ユーザ属性（「Ｕａ０２」）に対応する情報をユーザ端末１０に配信する場合（図１１：Ｓ２１５）、ユーザ属性（「Ｕａ０２」）がより確からしいことから、ユーザが興味を惹き易い情報を効果的に配信することが可能となる。
【０１１６】
例えば、上述のように、ユーザ属性が、家族持ちで、平均年収の男性である場合、情報配信制御部２０７は、家族向けで父親に関係する情報や所帯持ちのサラリーマン向けの情報を配信することになる。
【０１１７】
＜本発明の応用例＞
次に、ベーシックタグ１１ａとインテリジェントタグ１１ｂとを組み合わせた場合の本発明の応用例について説明する。一般的に、一方向通信のベーシックタグ１１ａは、安価であり、双方向通信のインテリジェントタグ１１ｂは、高価であることから、ベーシックタグ１１ａを、商品販売店の複数の商品棚のそれぞれに設置し、インテリジェントタグ１１ｂを、商品購入のためのキャッシュレジスター１４ｂに設置する。
【０１１８】
先ず、ユーザが、商品販売店に入り、複数の商品棚の周りを回遊し、図１６Ａに示すように、興味のある第一の商品棚１４ａに設置の第一のベーシックタグ１１ａをユーザ端末１０で読み取る。
【０１１９】
すると、情報提供制御部２０１は、第一のベーシックタグ１１ａのタグＩＤ（例えば、「ｔ１１」）を含み、トラッキングタグを有するウェブサイトのネットワーク特定情報（例えば、「ｗｗｗ．ａａａ．ｃｏｍ？ｔｉｄ＝ｔ１１」）をユーザ端末１０に対して提供する。又、ユーザが、ユーザ端末１０のブラウザで、提供されたネットワーク特定情報１６０１のウェブサイト１６００を表示させると、トラッキングタグ１６０２の起動により、ユーザＩＤ制御部２０２が、当該ユーザ端末１０のクッキーにユーザＩＤ（例えば、「ｄ０１」）を割り付ける。
【０１２０】
そして、タグＩＤ制御部２０３は、ユーザＩＤ（「ｄ０１」）に、当該ネットワーク特定情報（「ｗｗｗ．ａａａ．ｃｏｍ？ｔｉｄ＝ｔ１１」）に含まれるタグＩＤ（「ｔ１１」）を関連付ける。又、閲覧履歴制御部２０４は、ユーザＩＤ（「ｄ０１」）を有するユーザ端末１０のブラウザに記憶される閲覧情報（例えば、「ｗｗｗ．ａａａ．ｃｏｍ？ｔｉｄ＝ｔ１１」）を関連付けて、当該ユーザ端末１０の閲覧履歴を取得する。
【０１２１】
更に、広告ＩＤ制御部２０５は、ユーザＩＤ（「ｄ０１」）のユーザ端末１０の閲覧履歴の位置日時情報と、ユーザ端末１０の位置日時情報とを突合することで、突合したユーザ端末固有の広告ＩＤ（例えば、「ｇｈｉ」）を取得し、当該ユーザＩＤ（「ｄ０１」）に関連付ける。ここで、ユーザ属性制御部２０６がユーザ属性を分析しても良いが、後述のように、インテリジェントタグ１１ｂの読取の後に行うようにすると、好ましい。
【０１２２】
一方、ユーザは、ウェブサイト１６００内のクーポン情報１６０４を確認し、第一の商品棚１４ａから所望の第一の商品を取得する。又、ユーザは、更に他に興味のある第二の商品棚１４ａへ行き、図１６Ａに示すように、第二の商品棚１４ａに設置の第二のベーシックタグ１１ａをユーザ端末１０で読み取る。
【０１２３】
すると、上述と同様に、情報提供制御部２０１は、トラッキングタグを有するウェブサイトのネットワーク特定情報（例えば、「ｗｗｗ．ｂｂｂ．ｃｏｍ？ｔｉｄ＝ｔ１２」）をユーザ端末１０に対して提供する。ユーザが、ユーザ端末１０のブラウザでネットワーク特定情報１６０４のウェブサイト１６０３を表示させると、トラッキングタグ１６０５が起動する。ここで、ユーザＩＤは、ユーザ端末１０のクッキーに保存されているため、ユーザＩＤの割付処理は、省略される。
【０１２４】
一方、タグＩＤ制御部２０３は、ユーザＩＤ（「ｄ０１」）に、当該ネットワーク特定情報（「ｗｗｗ．ｂｂｂ．ｃｏｍ？ｔｉｄ＝ｔ１２」）に含まれるタグＩＤ（「ｔ１２」）を関連付け、閲覧履歴制御部２０４は、ユーザＩＤ（「ｄ０１」）に閲覧情報（例えば、「ｗｗｗ．ｂｂｂ．ｃｏｍ？ｔｉｄ＝ｔ１２」）を関連付ける。又、ユーザＩＤに広告ＩＤが既に関連付けられているため、広告ＩＤの取得処理は、省略されても良いが、ユーザ端末１０の閲覧履歴の蓄積量に応じて、その都度、実行されても良い。又、ユーザ属性制御部２０６がユーザ属性を分析しても良いが、後述のように、インテリジェントタグ１１ｂの読取の後に行う。
【０１２５】
ユーザは、ウェブサイト１６０３内のクーポン情報１６０６を確認し、第二の商品棚１４ａから所望の第二の商品を取得し、キャッシュレジスター１４ｂに向かい、図１６Ｂに示すように、キャッシュレジスター１４ｂに設置のインテリジェントタグ１１ｂをユーザ端末１０で読み取る。
【０１２６】
すると、固定ＩＤ制御部２０８は、当該ユーザ端末１０の読取関連部品の固定ＩＤ（例えば、「ｅ０１」）を取得し、情報提供制御部２０１は、トラッキングタグを埋め込んだウェブサイトのネットワーク特定情報（例えば、「ｗｗｗ．ｃｃｃ．ｃｏｍ？ｔｉｄ＝ｔ１３」）に固定ＩＤ（「ｅ０１」）を追加した追加ネットワーク特定情報（例えば、「ｗｗｗ．ｃｃｃ．ｃｏｍ？ｔｉｄ＝ｔ１３＆？ｕｉｄ＝ｅ０１」）をユーザ端末１０に対して提供する。ユーザが、ユーザ端末１０のブラウザで追加ネットワーク特定情報１６０８のウェブサイト１６０７を表示させると、トラッキングタグ１６０９が起動する。ここで、ユーザＩＤ（「ｄ０１」）は固定ＩＤ（「ｅ０１」）と異なるため、ユーザＩＤ制御部２０２は、ユーザ端末１０のクッキー１６１０のユーザＩＤ１６１１（「ｄ０１」）を固定ＩＤ１６１２（「ｅ０１」）に書き換える。
【０１２７】
ここで、タグＩＤ制御部２０３は、図１７Ａに示すように、ユーザＩＤタグＩＤテーブル１７００のユーザＩＤ項目１７０１において、書き換え前のユーザＩＤ１７０１ａ（「ｄ０１」）に関連付けられたタグＩＤ項目１７０２のタグＩＤ１７０２ａ（「ｔ１１」、「ｔ１２」）を固定ＩＤ１７０１ｂ（「ｅ０１」）に関連付け直し、追加ネットワーク特定情報１６０８のタグＩＤ１７０２ｂ（「ｔ１３」）を固定ＩＤ１７０１ｂ（「ｅ０１」）に関連付ける。
【０１２８】
又、ユーザＩＤが固定ＩＤに書き換えられた直後であるため、閲覧履歴制御部２０４は、図１７Ａに示すように、閲覧履歴１７０３のユーザＩＤ１７０４のうち、旧ユーザＩＤ１７０４ａ（「ｄ０１」）を固定ＩＤ１７０４ｂ（「ｅ０１」）に変更して、閲覧情報１７０５のうち、旧ユーザＩＤ１７０４ａ（「ｄ０１」）に属する閲覧情報１７０５ａを引き継ぎ、固定ＩＤ１７０４ｂ（「ｅ０１」）にウェブサイト１６０７の閲覧情報１６０８（例えば、「ｗｗｗ．ｃｃｃ．ｃｏｍ？ｔｉｄ＝ｔ１３＆？ｕｉｄ＝ｅ０１」）を関連付ける。
【０１２９】
又、広告ＩＤ制御部２０５は、書き換え前のユーザＩＤ（「ｄ０１」）に関連付けられた広告ＩＤ（「ｇｈｉ」）を固定ＩＤ（「ｅ０１」）に関連付け直す。
【０１３０】
ここで、ユーザ属性制御部２０６が、第一のベーシックタグ１１ａと第二のベーシックタグ１１ａとの読取履歴と閲覧履歴に基づいて、ユーザ属性を分析することになるため、例えば、ユーザのクーポン情報の取得の仕方でユーザ属性を素早く分析することが可能となる。又、インテリジェントタグ１１ｂの読取により、固定ＩＤをユーザＩＤとして割り付けることで、上述のように、クッキーの消滅が生じたとしても、過去のタグの読取履歴と閲覧履歴を利用することが出来るため、ユーザ属性を正確に分析出来るようになる。
【０１３１】
一方、サーバ１２は、閲覧履歴１７０３から、第一のベーシックタグ１１ａの読取によるクーポン情報１６０３と、第一のベーシックタグ１１ａの読取によるクーポン情報１６０６とを認識し、図１６Ｂに示すように、ウェブサイト１６０７に、今まで取得した全てのクーポン情報１６１３を一括で表示するとともに、全てのクーポン情報１６１３に対応するバーコード情報１６１４を表示する。これにより、ユーザは、店員に、キャッシュレジスター１４ｂのバーコードリーダでバーコード情報１６１４を読み取らせることで、今まで取得した全てのクーポン情報１６１３を利用することが可能となり、キャッシュレジスター１４ｂでの決済を容易にする。
【０１３２】
このように、ベーシックタグ１１ａとインテリジェントタグ１１ｂとを組み合わせることで、ユーザによるベーシックタグ１１ａの読取の仕方でユーザ属性を素早く分析することが出来るとともに、再現性を有する固定ＩＤへの割り付けを容易に行うことが可能となる。
【０１３３】
ところで、本発明の実施形態では、ユーザＩＤ広告ＩＤテーブルを用いて、ユーザ端末１０の閲覧履歴からユーザ属性を分析し、ユーザ端末１０に情報を配信するよう構成したが、他のシステムと連携することで、更に精度高いユーザ属性を分析することが可能となる。例えば、他のシステムは、無線機器とユーザ端末との近距離無線通信を利用して得られる端末ＩＤ広告ＩＤテーブルを用いて、ユーザ端末の端末ＩＤ（例えば、ＭＡＣアドレス）の行動履歴からユーザ属性を分析する。図１７Ｂに示すように、ユーザＩＤ広告ＩＤテーブル１７０６では、ユーザＩＤ１７０７と広告ＩＤ１７０８とが関連付けて記憶され、端末ＩＤ広告ＩＤテーブル１７０９では、端末ＩＤ１７１０と広告ＩＤ１７１１とが関連付けて記憶される。そこで、サーバ１２を他のシステムと連携させ、サーバ１２が、ユーザＩＤ広告ＩＤテーブル１７０６の広告ＩＤ１７０８と、端末ＩＤ広告ＩＤテーブル１７０９の広告ＩＤ１７１１とを突合する。突合方法は、特に限定は無く、例えば、機械学習やディープラーニング等の方法を採用することが出来る。そして、サーバ１２は、突合した広告ＩＤ１７０８、１７１１を介してユーザＩＤ１７１７と端末ＩＤ１７１０とを関連付けて、ユーザ端末１０の閲覧履歴とユーザ端末の行動履歴とを結び付ける。ユーザ端末１０の閲覧履歴とユーザ端末の行動履歴とに基づいて、ユーザ属性を分析することで、ユーザ属性を多元的に分析することが可能となる。
【０１３４】
尚、本発明の実施形態では、情報配信システム１が各部を備えるよう構成したが、当該各部を実現するプログラムを記憶媒体に記憶させ、当該記憶媒体を提供するよう構成しても構わない。当該構成では、プログラムを装置に読み出させ、当該装置が各部を実現する。その場合、記録媒体から読み出されたプログラム自体が本発明の作用効果を奏する。さらに、各部が実行するステップをハードディスクに記憶させる方法として提供することも可能である。
【産業上の利用可能性】
【０１３５】
以上のように、本発明に係る情報配信システム及び情報配信方法は、店舗に限らず、スーパーマーケット、量販店、駅、道路、大学、学校、公園、病院、ギャンブル場等にも有用であり、非接触電子タグの読取によって、ユーザの属性に合った情報を効果的に配信することが可能な情報配信システム及び情報配信方法として有効である。
【符号の説明】
【０１３６】
１    情報配信システム
１０  ユーザ端末
１１  非接触電子タグ
１２  サーバ
１３  ネットワーク
２０１  情報提供制御部
２０２  ユーザＩＤ制御部
２０３  タグＩＤ制御部
２０４  閲覧履歴制御部
２０５  広告ＩＤ制御部
２０６  ユーザ属性制御部
２０７  情報配信制御部
２０８  固定ＩＤ制御部
【要約】      （修正有）【課題】非接触電子タグの読取によって、ユーザの属性に合う情報を効果的に配信する情報配信システムを提供する。【解決手段】情報配信システム１において、ベーシックタグ１１ａの情報提供制御部２０１は、ユーザ端末１０が非接触電子タグを読取ると、タグＩＤを含みトラッキングタグを埋込んだウエブサイトのネットワーク特定情報をユーザ端末へ提供する。サーバ１２のユーザＩＤ制御部２０２は、ウェブサイトの閲覧履歴を識別するユーザＩＤを割付ける。タグＩＤ制御部２０３は、ユーザＩＤにタグＩＤを関連付ける。広告ＩＤ制御部２０５は、ユーザＩＤの閲覧履歴の位置日時情報と取得したユーザ端末の現在の位置日時情報から、ユーザ端末固有の広告ＩＤを取得する。ユーザ属性制御部２０６は、ユーザ端末の閲覧履歴と、ユーザＩＤに関連するタグＩＤのタグ属性から、ユーザ端末のユーザ属性を分析する。情報配信制御部２０７は、ユーザ属性情報を配信する。【選択図】図２【図１】
0006755033.tif 000002
【図２】
0006755033.tif 000003
【図３】
0006755033.tif 000004
【図４】
0006755033.tif 000005
【図５】
0006755033.tif 000006
【図６】
0006755033.tif 000007
【図７】
0006755033.tif 000008
【図８】
0006755033.tif 000009
【図９】
0006755033.tif 000010
【図１０】
0006755033.tif 000011
【図１１】
0006755033.tif 000012
【図１２】
0006755033.tif 000013
【図１３】
0006755033.tif 000014
【図１４】
0006755033.tif 000015
【図１５】
0006755033.tif 000016
【図１６】
0006755033.tif 000017
【図１７】
0006755033.tif 000018